(57)【特許請求の範囲】
【請求項１】
表面から裏面に貫通して、ネジが挿通される孔と、上記裏面上にすくなくとも上記孔の周囲に設けられ、上記孔を囲む突出部とを有する基台部と、
上記基台部の上記表面にマトリクス状に配置された複数のＬＥＤ素子と、
上記裏面上に上記突出部と上記孔との間に位置するように配置され、上記孔を囲むリング状の弾性体とを備え、
圧縮していない状態で上記リング状の弾性体の高さは、上記突出部の上記裏面からの高さよりも高くなっており、
上記突出部は、上記基台部の裏面において、上記ネジが挿通される孔の周囲から環状に延設するように形成されており、
上記基台部の裏面に、上記リング状弾性体と同じ高さの環状の弾性体を上記突出部を取り囲むように設けたことを特徴とするＬＥＤ表示装置。
【請求項２】
請求項１に記載のＬＥＤ表示装置において、
上記環状の弾性体は、上記突出部を取り囲むように設けた外周側弾性体であることを特徴とするＬＥＤ表示装置。
【請求項３】
請求項１に記載のＬＥＤ表示装置において、
上記突出部は上記基台部に一体的に形成されていることを特徴とするＬＥＤ表示装置。
【請求項４】
請求項１に記載のＬＥＤ表示装置と、
取付面に開口した取付孔を有するシャーシと、
ネジとを備え、
上記シャーシの取付面が上記基台部の裏面に対向していると共に、上記取付面と上記裏面とがリング状弾性体を圧縮して上記取付面が上記突出部に当接するように、上記ネジの先端部が上記基台部の表面から上記基台部のネジ用の孔に挿通されて、上記基台部の裏面から突出しており、上記ネジの先端部が上記シャーシに固着されて、上記基台部が上記シャーシに取り付けられていることを特徴とするＬＥＤ表示装置の取り付け構造。
【請求項５】
請求項１乃至３のいずれか１つに記載のＬＥＤ表示装置において、
上記リング状弾性体および上記環状弾性体はシリコンゴム製であることを特徴とするＬＥＤ表示装置。
【発明の詳細な説明】
【０００１】
【発明の属する技術分野】
本発明は複数個のＬＥＤ(発光ダイオード)素子がマトリクス状に配置されたＬＥＤ表示装置に関し、特に道路、店舗、駅、ガソリンスタンド等の屋外において使用されるＬＥＤ表示装置およびその取り付け構造に関する。
【０００２】
【従来の技術】
現在、表示装置として長寿命、高輝度を有するＬＥＤ表示装置が多用されている。特に、道路、店舗、駅、ガソリンスタンド等の屋外においては、高輝度である点、多色性を有する点、さらには動画表示ができる点が有用であるから、ＬＥＤ表示装置を使用する場合が多い。
【０００３】
以下、図１２と図１３,図１４,図１５を参照して、従来のＬＥＤ表示装置について説明する。図１２に示すように、このＬＥＤ表示装置は、シャーシ７３の表面７３Ａにマトリクス状に縦横に配置された基台部７２を備えている。シャーシ７３は箱形であり、基台部７２は板形状である。そして、各基台部７２は、シャーシ７３の裏側から挿通された複数の固定用ネジ７８でもって、シャーシ７３に固定されるようになっている。
【０００４】
図１３に、１つの基台部７２を側方から見た様子を示す。この基台部７２には、図示しない基板が埋め込まれており、この基板上にＬＥＤ素子７１がマトリクス状に配置されている。また、上記基台部７２の裏面７２Ａには、ドライブ基板７５が固定されている。このドライブ基板７５は、ＬＥＤ素子７１の駆動回路７４などを備えている。そして、上記基台部７２は、上記ドライブ基板７５をシャーシ７３の窓７３Ｃに挿入するようにして、固定用ネジ７８でもってシャーシ７３に固定されている。なお、７６はＬＥＤ素子７１のリードピンであり、ＬＥＤ素子７１をマトリクス状に取り付けた基板とドライブ基板７５との間を電気的に接続している。
【０００５】
図１２に示したＬＥＤ表示装置は、たとえば店舗の看板に用いられる。図示していないが、シャーシ７３は、基台部７２のためのコントロールボックスや電源などを内蔵している。
【０００６】
図１４に、上記基台部７２とシャーシ７３との固定構造を示す。筺体として機能するシャーシ７３には、固定用ネジ７８でもって基台部７２が固定されている。固定用ネジ７８は、シャーシ７３の裏面７３Ｂからワッシャ７７を介して貫通孔７６に挿通され、基台部７２にインサートされているインサートナット８０に螺合されている。そして、上記固定用ネジ７８よりも外側の基台部７２とシャーシ７３との間には、弾性体８１が挟まれている。この弾性体８１は、基台部７２の裏面７２Ｂにナット８０の外側を囲むように形成されている周溝７２Ｃに嵌め込まれて固定されている。また、この弾性体８１は、シャーシ７３の外縁および基台部７２の外縁に沿ってリング状に延在している。
【０００７】
このリング状の弾性体８１は、外部からの雨水等の水分がシャーシ７３と基台部７２との間の内部に進入するのを防止する役目を果たす。
【０００８】
【発明が解決しようとする課題】
ところで、上記したように、上記基台部７２はシャーシ７３にネジ７８でもって固定されているから、このネジ７８の締付トルクの大きさは、生産工程において基本的に管理されている。この締付トルクの大きさは、たとえば、６０〜７０Ｎｃｍ程度である。
【０００９】
ところが、上記ＬＥＤ表示装置をユーザ自身がメンテナンスする場合には、ユーザが上記ネジ７８を緩めて外してから、次に再びネジ７８を締める必要がある。ここで、ユーザがネジ７８を締め過ぎた場合には、図１５に示すように、上記環状の弾性体８１がテコの作用をして、基台部７２のネジ締め部の近傍部分８３が斜めに変形するという問題がある。この場合、上記リング状の弾性体８１による防水効果が低減してしまい、ＬＥＤ表示装置全体の信頼性が低下する。
【００１０】
また、図１２や図１３に示したように、上記ＬＥＤ表示装置では、メンテナンス時や不良品の交換の際には、シャーシ７３の裏側からネジ７８を緩めたり締めたりする必要があるから、作業性が良くないという問題がある。
【００１１】
そこで、この発明の目的は、ネジ締めと緩めに伴う保守性の向上を実現できる上に、ネジ固定の際の締め付け過ぎによる防水効果の低下を防止できる信頼性の高いＬＥＤ表示装置およびその取り付け構造を提供することにある。
【００１２】
【課題を解決するための手段】
上記目的を達成するために、請求項１の発明のＬＥＤ表示装置は、表面から裏面に貫通して、ネジが挿通される孔と、上記裏面上にすくなくとも上記孔の周囲に設けられ、上記孔を囲む突出部とを有する基台部と、
上記基台部の上記表面にマトリクス状に配置された複数のＬＥＤ素子と、
上記裏面上に上記突出部と上記孔との間に位置するように配置され、上記孔を囲むリング状の弾性体とを備え、
圧縮していない状態で上記リング状の弾性体の高さは、上記突出部の上記裏面からの高さよりも高くなっており、
上記突出部は、上記基台部の裏面において、上記ネジが挿通される孔の周囲から環状に延設するように形成されており、
上記基台部の裏面に、上記リング状弾性体と同じ高さの環状の弾性体を上記突出部を取り囲むように設けたことを特徴としている。
【００１３】
請求項１の発明によれば、上記基台部の裏面をシャーシの取付面に対向させて、リング状弾性体をシャーシの取付面にあてがう。次に、ネジを基台部の表面から上記ネジ用の孔に挿通する。そして、このネジを、たとえばシャーシに設けられたネジ用の孔に螺合させるか、あるいは、ナット締めすることによって、基台部をシャーシに固定することができる。このように、この請求項１の発明によれば、基台部の表側(ＬＥＤ発光側)から、ネジを締める、あるいは緩めることによって、基台部をシャーシに対して取り付ける、あるいは取り外すことができる。したがって、ユーザーが保守，点検を簡単に行うことができる。
【００１４】
上記リング状弾性体は、上記シャーシの取付面と基台部の裏面とに挟まれて圧縮されて、基台部のネジ用の孔からシャーシの取付面と基台部の裏面との間に雨水が侵入することを防止する役目を果たすものである。
【００１５】
上記ネジの締め付け前においては、リング状弾性体は突出部よりも上にはみ出した状態になっているが、ネジの締め付けに応じて基台部の裏面とシャーシの取付面とに挟みつけられるから、徐々に圧縮されて行く。そして、上記ネジをさらに締め付けていくと、突出部がシャーシの取付面に当接するから、リング状弾性体は突出部と同じ高さとなる。すると、上記ネジをさらに締め付けても、突出部がシャーシの取り付け面に当接しているから、リング状弾性体はそれ以上圧縮されない。したがって、ネジを締め付けたときに、リング状弾性体が過度に圧縮されることを防止でき、リング状弾性体が切れてしまうことを防止できる。また、環状の弾性体を複数のネジ部の外周あるいは内周に設けている場合であれば、ネジ締めの圧力はこの環状の弾性体のみにかかることはないので、従来構造の問題であった、環状の弾性体がテコの作用をして記載部のネジ締め部の近傍部分が斜めに変形することを防止できる。
【００１６】
また、ネジ締め時に、突出部が、シャーシに対するストッパーの役目をして、リング状弾性体が過大に圧縮されることを防止するから、多少大きめのトルクでネジ締めを行うことが許容される。したがって、例えばユーザー側におけるメンテナンス作業者の負担の軽減も図れる。
【００１７】
また、請求項２のＬＥＤ表示装置では、上記突出部を囲むような環状の外周側弾性体を基台部の裏面に固定したので、上記突出部は、上記外周側弾性体がシャーシの取付面によって過度に圧縮されることを防止するストッパーの役目を果たす。したがって、上記外周側弾性体の過度の圧縮による損傷を防止でき、この外周側弾性体でもって、基台部とシャーシとの間から雨水が侵入することを確実に防止することができる。また、上記外周側弾性体の過度の圧縮を防止できるから、この外周側弾性体を挟む基台部およびシャーシの変形を防止することができる。
【００１８】
また、請求項３の発明は、請求項１に記載のＬＥＤ表示装置において、上記突出部は上記基台部に一体的に形成されていることを特徴としている。
【００１９】
したがって、請求項３に記載の発明によれば、突出部を基台部に、例えば接着剤等で固定する作業等が不要となる。また、一体的に形成されていることから、突出部に比較的大きいトルクがかかっても、この突出部自体が変形、破損しにくく高信頼性を保証できる。
【００２０】
また、請求項４の発明のＬＥＤ表示装置の取り付け構造は、請求項１に記載のＬＥＤ表示装置と、取付面に開口した取付孔を有するシャーシと、ネジとを備え、上記シャーシの取付面が上記基台部の裏面に対向していると共に、上記取付面と上記裏面とがリング状弾性体を圧縮して上記取付面が上記突出部に当接するように、上記ネジの先端部が上記基台部の表面から上記基台部のネジ用の孔に挿通されて、上記基台部の裏面から突出しており、上記ネジの先端部が上記シャーシに固着されて、上記基台部が上記シャーシに取り付けられていることを特徴としている。
【００２１】
請求項４に記載の発明によれば、ＬＥＤ表示装置の表面側(発光面側)からネジ締めを行うので、故障時等の内部検査時は表面側からネジを緩めるだけで、そのままＬＥＤ表示装置をシャーシから外すことができる。したがって、保守点検が容易で取り扱いが容易である。
【００２２】
また、ネジ部の防水の役目を果たすリング状の弾性体は、基台部の裏面に配置されているから、ネジ頭の下部にはワッシャのみを配置した構造とできる。したがって、ネジ締め付けの際のワッシャとゴムパッキンとの接触による捩切れといった現象を回避できる。
【００２３】
さらに、ネジ部の防水を行うリング状弾性体、および基台部裏面とシャーシ取り付け面間の防水を行う環状の弾性体を設けている場合は、この弾性体もＬＥＤ発光面とは反対側の面にあるから、昼間において太陽光の照射を避けることができる。したがって、リング状弾性体および環状の弾性体の材質劣化を防ぐことができ、耐久性を向上させることができ、高い信頼性が得られる。
【００２４】
上記請求項２の発明では、突出部を囲むような環状の外周側弾性体を基台部の裏面に固定した構成によって、突出部は、外周側弾性体がシャーシの取付面によって過度に圧縮されることを防止するストッパーの役目を果たすから、外周側弾性体の過度の圧縮による損傷を防止でき、この外周側弾性体でもって、基台部とシャーシとの間から雨水が侵入することを確実に防止することができると同時に、この外周側弾性体を挟む基台部およびシャーシの変形を防止することができる。
【００２５】
また、突出部を囲むような環状の外周側弾性体を、ＬＥＤ発光面とは反対側の面である基台部の裏面に固定した構成によって、この環状の外周側弾性体は、昼間において太陽光の照射を避けることができ、材質劣化を防ぐことができ、耐久性を向上させることができて、高い信頼性が得られる。
【００２６】
【発明の実施の形態】
以下、この発明を、図示の実施の形態に基づいて詳細に説明する。
【００２７】
本発明の実施の形態を、図１乃至図３および図４を参照して説明する。図１はこの実施の形態のＬＥＤ表示装置の裏面側(発光面と反対側の面)の斜視図であり、図２は図１の部分拡大図であり、図３は本実施の形態のＬＥＤ表示装置をシャーシに固定するネジ固定構造を示す部分拡大断面図である。また、図４は、シャーシ１およびシャーシ１の前面１Ａに縦横に敷き詰められて固定されている複数の基台部２を示している。図４に示すように、基台部２は、シャーシ１の前方つまり基台部２の表示側からネジ込まれる複数のネジ３によって、シャーシ１に固定される。この基台部２は主としてポリカーボネイトによって作製されている。また、基台部２の表面２Ａには、複数のＬＥＤ素子１５がマトリクス状に配置されている。
【００２８】
この実施の形態のＬＥＤ表示装置は、図１および図２に示すように、基台部２の裏面２Ｂ側のネジ用の孔５の周囲にネジ用の孔５を囲むような突出したストッパー６が設けられている。このストッパー６はさらに、基台部２の裏面２Ｂにおける外周全体を囲むように延設形成されている外周延在部６Ａを有している。また、４はドライブ基板であり、基台部２の中央部で裏面２Ｂに固定されている。
なお、ここでは、ストッパー６は基台部２に一体的に形成されているが、ストッパー６を基台部２と別体にしてストッパー６を基台部２に接着してもよい。
【００２９】
そして、上記裏面２Ｂ上に上記ネジ用の孔５とストッパー６との間に位置するように、孔５を囲むリング形のネジ用パッキン７が配置されている。このネジ用パッキン７の材料としては、ここでは、シリコン樹脂を用いたが、例えば従来のゴムパッキンと同材料を使用できる。ここで、ネジ用パッキン７の非圧縮時の高さはストッパー６よりも所定の寸法だけ高く設定されている。また、ストッパー６よりも外側の基台部２の額縁部２Ｃに、外周ゴムパッキン８が固定されている。図３に示すように、外周ゴムパッキン８は基台部２の裏面２Ｂに形成された溝９に嵌め込まれている。この外周ゴムパッキン８は、シリコン樹脂で作製されており、図１に示すように、ストッパー６の四周を取り囲むような四角い環状になっている。また、外周ゴムパッキン８は、リング形のネジ用パッキン７と同じ高さに設定されている。具体的には、図１１に示すように、ストッパー６の高さ０.６５mmに対して、ネジ用パッキン７の非圧縮時の高さは１.００mmである。
【００３０】
上記のような構造を有するＬＥＤ表示装置の基台部２をシャーシ１にネジ固定する場合、図３に示すような状態になる。ネジ３は、ワッシャ１０を介して基台部２の表面２Ａから、ネジ用の孔５に挿通され、上記ネジ用パッキン７および上記シャーシ１の貫通孔１Ｂを貫通して突き出す。そして、このネジ３のネジ部３Ａには、ナット１１が螺合される。このナット１１とネジ３との螺合によって、シャーシ１に基台部２が固定される。同時に、外周側ゴムパッキン８とネジ用パッキン７とが基台部２の裏面２Ｂとシャーシ１の前面１Ａとの間で挟まれて所定寸法だけ圧縮される。これにより、上記外周側ゴムパッキン８はシャーシ１の取付面１Ａの縁と基台部２の裏面２Ｂの縁との間から雨水が内部に侵入することを防止できる。また、上記ネジ用ゴムパッキン７は、ネジ用の孔５から基台部２とシャーシ１との間に雨水が侵入することを防止できる。
【００３１】
この実施の形態によれば、基台部２の表面２Ａからのネジ締めによって、基台部２をシャーシ１に固定できるから、作業性が良く、保守と点検が容易になる。
【００３２】
図１１に示すように、ネジ３の締め付け前の非圧縮状態においては、ネジ用防水パッキン７はストッパー６よりも所定の寸法だけ突き出している。そして、ネジ３の締め付けに応じて徐々に圧縮されて、図３に示す状態に近づいて行く。同時に、外周側ゴムパッキン８も圧縮されて、図３に示す状態に近づいて行く。そして、さらにネジ３を締め付けて行くと、図３に示すように、ネジ用パッキン７はストッパー６と同じ高さになる。そして、ネジ用パッキン７とストッパー６とが同じ高さになった後、さらにネジ３を締め付けても、シャーシ１がストッパー６に当接しているから、リング形のネジ用パッキン７および外周側ゴムパッキン８はそれ以上に圧縮されることはない。
【００３３】
従って、この実施の形態によれば、上記ストッパー６のストッパー機能によって、ネジ用パッキン７および外周側ゴムパッキン８が過大に圧縮されることを防止できる。したがって、ネジ用パッキン７が薄くなって切れてしまうことを防止できる。また、外周側ゴムパッキン８がシャーシ１と基台部２との間のテコとなって、基台部２のゴムパッキン８の近傍が斜めに変形することを防止できる。また、規定よりも若干大きめのトルクでネジ締めを行った場合にも、ストッパー６がシャーシ１に当接して、ゴムパッキン７の過圧縮を防止する。したがって、ゴムパッキン７の千切れを防ぐことができると同時に、基台部２の変形を防止できる。したがって、ユーザーによる保守作業が容易になり、ユーザーの保守作業のための負担を軽くすることができる。
【００３４】
ところで、この実施の形態では、ネジ３の頭部の下にはゴムパッキンを設けず、ワッシャ１０のみを配置しているから、外部からの水分はワッシャ１０を通って、ネジ用の孔５まで侵入する可能性がある。しかし、ネジ用のゴムパッキン７が、ネジ用の孔５に達した水分が基台部２とシャーシ１との間に侵入することを防止する。したがって、水分が接触して問題となるＬＥＤ表示装置の基台部２の裏面２Ｂの内側部分は完全に防水されているから、なんら問題は起こらない。
【００３５】
また、ＬＥＤ表示装置の横方向から(つまり、基台部２の裏面２Ｂの縁とシャーシ１の前面１Ａの縁との間の隙間から)の水分の侵入は、外周側ゴムパッキン８によって防水されている。
【００３６】
また、この実施の形態では、上述のようにネジ３の頭部の下にワッシャ１０だけを配置しているから、ネジの締め付けによってゴムパッキンとワッシャとが締め付けられながら回転して両者の摩擦によってゴムパッキンが捩切れてしまうといった問題も発生しない。
【００３７】
さらに、ネジ用パッキン７はＬＥＤ発光面とは反対側の裏面２Ｂに配置されているから、昼間の太陽光照射を避けることができる。したがって、パッキン７の劣化を防止でき、高い信頼性を実現できる。
【００３８】
上述のように、本形態のＬＥＤ表示装置は、発光面側である基台部２の表面２Ａからのネジ止め構造を採用している。したがって、基台部２のシャーシ１への取り付けと取り外しとを簡単に行うことができる。したがって、メンテナンスの際の作業者の負担を軽減できる。また、ストッパー６の存在によって、ゴムパッキン７と８のねじ切れや極端な変形を防止でき、確実な防水効果を保証できる。さらに、太陽光等の照射によるゴムパッキン７の劣化も防止できる。
【００３９】
尚、この実施の形態においては、ストッパー６をＬＥＤ表示装置の基台部２の裏面２Ｂ側に形成しているが、ＬＥＤ表示装置の基台部２の表面２Ａのネジ３の頭部の下にストッパー６を形成し、このストッパー６内に孔５を囲むパッキン７を配置する構造も考えられる。この場合にも、基台部２の表面２Ａ側からネジ３をネジ回すことによって、シャーシ１に対する基台部２の取り外しを行うことができて、ユーザによる保守を容易に行うことができる。ただし、この場合には、ワッシャ１０とネジ用パッキン７とが接触するから、締め付け途中において両者が相対回転してネジ用パッキン７が捩切れてしまう可能性がある。したがって、図１〜図３に示したように、基台部２の裏面２Ｂにストッパー６を設けた構造が望ましい。
【００４０】
また、上記図１の実施の形態においては、ストッパー６をＬＥＤ表示装置の基台部２の裏面２Ｂの外周全体に形成しているが、ストッパーを裏面２Ｂのネジ用の孔５の周囲だけに形成した場合にも、ネジ締めに起因するネジ用パッキン７の過圧縮と基台部２の変形を防止できる。ただし、この場合、図１の実施の形態に比較して、ストッパー６がシャーシ１を支承する機能が若干低下するから、外周側パッキン８の過圧縮を防止する効果がやや低下する。従って、外周側パッキン８の防水効果がやや低下する可能性がある。
【００４１】
〔参考例〕
次に、図５に、参考例としてのＬＥＤ表示装置の裏面(発光面の反対側の面)を斜めから見た様子を示す。また、図６に、上記ＬＥＤ表示装置の裏面の角部を斜めから見た様子を示す。この参考例の基台部３１は、図４に示すような、シャーシ１の前面１Ａに縦横に敷き詰めるように固定される点において、前述の実施の形態と同じである。
【００４２】
図５に示すように、ポリカーボネイト製の基台部３１の裏面３１Ｂの中央にドライブ基板３２が固定されている。そして、このドライブ基板３２よりも外側の基台部３１の裏面額縁部３３には、額縁部３３の４つの各辺についてそれぞれ３つのネジ用の孔３５が略等間隔に形成されている。また、額縁部３３の内のネジ用の孔３５よりも内側の部分３３Ａには、ドライブ基板３２を取り囲むようなシリコン樹脂製の略四角形の環状の弾性体３６が固定されている。図１０に示すように、このリング状の弾性体３６は、約１０分の９の部分３６Ａが上記部分３３Ａに形成された溝３３Ａ‐１に嵌め込まれて固定されており、約１０分の１の部分３６Ｂが部分３３Ａの表面から突き出している。より詳細には例えば、溝３３Ａ‐１の深さを２.６５ｍｍとし、上記弾性体３６の断面形状を３ｍｍ角の正方形とし、上記部分３６Ａの厚さを２.６５ｍｍとし、部分３６Ｂの厚さを０.３５ｍｍとした。
【００４３】
図８に示すように、基台部３１の表面３１Ａには、複数のＬＥＤ素子４４がマトリクス状に配置されている。一方、基台部３１の裏面３１Ｂには、ドライブ基板３２が固定されている。そして、この基台部３１の表面３１Ａのネジ用の孔３５に挿通される複数のネジ３７によって、この基台部３１がシャーシ１の前面１Ａに固定される。なお、上記ドライブ基板３２は、図９に示すように、シャーシ１の前面１Ａに形成されている四角形の窓１Ｃに嵌まるようになっている。
【００４４】
図７に、上記基台部３１が、ネジ３７でもってシャーシ１に固定された様子を示す。ネジ３７は、基台部３１の表面３１Ａからワッシャ４０を介してネジ用の孔３５に挿通されており、基台部３１の裏面の額縁部３３およびこの額縁部３３に密着されたシャーシ１に突き出されたネジ部３７Ａにナット４１が螺合される。このネジ３７とナット４１とでシャーシ１を基台部３１に締め付ける過程において、上記環状の弾性体３６はシャーシ１によって徐々に圧縮されて行く。そして、さらなる締め付けによって、環状の弾性体３６は、基台部３１の裏面３１Ｂと略同一の平面まで圧縮されて変形される。そして、これ以上に、ネジ３７を締めても、シャーシ１が基台部３１の裏面３１Ｂに当接しているから、環状の弾性体３６のさらなる圧縮変形は起こらない。
【００４５】
より詳細には、図１０に示すように、環状の弾性体３６の突出部分３６Ｂの厚さを０.３５ｍｍとし、埋没部分３６Ａの厚さを２.６５ｍｍとすれば、環状の弾性体３６を圧縮したときの弾性応力が、基台部３１の額縁部３３が斜めに変形させることを略完全に防止することができる。また、環状の弾性体３６の過圧縮を防止でき、弾性体３６の損傷を防止できる。
【００４６】
この参考例によれば、基台部３１の表面３１Ａからのネジ締め操作だけで基台部３１をシャーシ１に取り付けることができ、かつ、基台部３１の表面３１Ａからのネジ緩め操作だけで基台部３１をシャーシ１から取り外すことができる。従って、ユーザによる保守と点検を簡単で容易にすることができる。
【００４７】
また、基台部３１の裏面３１Ｂに取り付けられている環状の弾性体３６は、基台部３１とシャーシ１との間から水分(雨水等)が進入することを防止する役目を果たす。この環状の弾性体３６は、ネジ用の孔３５よりも内側部分を取り囲むように基台部３１の裏面３１Ｂに取り付けられている。つまり、基台部３１の内の環状の弾性体３６よりも外側の部分は、ネジ用の孔３５に挿通したネジ３７でもってシャーシ１に結合される。したがって、ネジ用の孔３５に挿通したネジ３７の締め過ぎが発生したときに、環状の弾性体３６の過圧縮が発生した場合にも、環状弾性体３６の突出分が圧縮されることにより、基台部３１裏面３１Ｂとシャーシ１前面１Ａとが略面一になるので、従来構造のように環状弾性体３６がテコの作用をして外側の基台部が反り曲がることを防止できる。
【００４８】
この時、環状弾性体３６は複数のネジ用の孔３５よりも内方に配置されているので、環状弾性体３６の突出部が若干残ったとしても、従来と異なり、基台部３１の外側の反りを少なく抑えることができる。
【００４９】
したがって、ネジ３７の締め過ぎに起因して防水性能が低下することを防止でき、信頼性を向上させることができる。
【００５０】
また、図１０に示すように、上記環状の弾性体３６は上記内側部分を取り囲む部分３３Ａの溝３３Ａ‐１に嵌め込まれて固定されている。そして、シャーシ１の表面１Ａが基台部３１の裏面３１Ｂに密着させられたときに、環状の弾性体３６の圧縮量が所望の値になるように、基台部３１の裏面３１Ｂからの環状の弾性体３６の突き出し量を設定している。上記所望の値とは、上記環状の弾性体３６の圧縮が過圧縮にならないような値である。これにより、基台部３１の裏面３１Ｂ自体をシャーシ１に対するストッパの役割を果たさせることができる。したがって、ネジ３７の締め過ぎによる基台部３１のネジ締め部近傍の斜め変形および弾性体３６の損傷を防止できる。
【００５１】
また、上記環状の弾性体３６は、ＬＥＤ発光面とは反対側の面３１Ｂに設けられているから、昼間において太陽光の照射を避けることができる。したがって、環状の弾性体３６の材質劣化を防止でき、耐久性を向上させることができ、高い信頼性を得ることができる。
【００５２】
尚、上記参考例では、リング状弾性体３６の突出部分３３Ｂの厚さを０.３５ｍｍとしたが、弾性体３６がシャーシ３８によって圧縮されたときに、基台部３１の縁部が変形しないような突出寸法に設定していればよい。
【００５３】
【発明の効果】
以上の説明より明らかなように、請求項１の発明のＬＥＤ表示装置は、表面から裏面に貫通して、ネジが挿通される孔と、上記裏面上にすくなくとも上記孔の周囲に設けられ、上記孔を囲む突出部とを有する基台部と、
上記基台部の上記表面にマトリクス状に配置された複数のＬＥＤ素子と、
上記裏面上に上記突出部と上記孔との間に位置するように配置され、上記孔を囲むリング状の弾性体とを備え、
圧縮していない状態で上記リング状の弾性体の高さは、上記突出部の上記裏面からの高さよりも高くなっており、
上記突出部は、上記基台部の裏面において、上記ネジが挿通される孔の周囲から環状に延設するように形成されており、
上記基台部の裏面に、上記リング状弾性体と同じ高さの環状の弾性体を上記突出部を取り囲むように設けた。
【００５４】
請求項１の発明によれば、基台部の表側(ＬＥＤ発光側)から、ネジを締めること（あるいは緩めること）によって、基台部をシャーシに対して取り付ける（あるいは取り外す）ことができる。したがって、ユーザーが保守，点検を簡単に行うことができる。
【００５５】
上記リング状の弾性体は、上記シャーシの取付面と基台部の裏面とに挟まれて圧縮されて、基台部のネジ用の孔からシャーシの取付面と基台部の裏面との間に雨水が侵入することを防止する役目を果たす。
【００５６】
上記リング状の弾性体は、上記ネジを締め付けることによって、基台部の裏面とシャーシの取付面とに挟みつけられて圧縮され、突出部がシャーシの取付面に当接したときに、リング状弾性体は突出部と同じ高さとなり、リング状の弾性体の圧縮が停止する。したがって、上記突出部の存在によって、ネジを締め付けたときに、リング状弾性体が過度に圧縮されることを防止でき、リング状弾性体が切れてしまうことを防止できる。また、環状の弾性体を複数のネジ部の外周あるいは内周に設けている場合であれば、ネジ締めの圧力はこの環状の弾性体のみにかかることはないので、従来構造の問題であった環状の弾性体がテコの作用をして基台部のネジ締め部の近傍部分が斜めに変形することを防止できる。
【００５７】
また、ネジ締め時に、突出部が、シャーシに対するストッパーの役目をして、リング状弾性体が過大に圧縮されることを防止するから、多少大きめのトルクでネジ締めを行うことが許容される。したがって、例えばユーザー側におけるメンテナンス作業者の負担の軽減も図れる。
【００５８】
また、請求項２の発明では、上記突出部を囲むような環状の外周側弾性体を基台部の裏面に固定したので、上記突出部は、上記外周側弾性体がシャーシの取付面によって過度に圧縮されることを防止するストッパーの役目を果たす。したがって、上記外周側弾性体の過度の圧縮による損傷を防止でき、この外周側弾性体でもって、基台部とシャーシとの間から雨水が侵入することを確実に防止することができる。また、上記外周側弾性体の過度の圧縮を防止できるから、この外周側弾性体を挟む基台部およびシャーシの変形を防止することができる。
【００５９】
また、請求項３の発明は、請求項１に記載のＬＥＤ表示装置において、上記突出部は上記基台部に一体的に形成されている。
【００６０】
したがって、請求項３に記載の発明によれば、突出部を基台部に、例えば接着剤等で固定する作業等が不要となる。また、一体的に形成されていることから、突出部に比較的大きいトルクがかかっても、この突出部自体が変形、破損しにくく高信頼性を保証できる。
【００６１】
また、請求項４の発明のＬＥＤ表示装置の取り付け構造は、請求項１に記載のＬＥＤ表示装置と、取付面に開口した取付孔を有するシャーシと、ネジとを備え、上記シャーシの取付面が上記基台部の裏面に対向していると共に、上記取付面と上記裏面とがリング状弾性体を圧縮して上記取付面が上記突出部に当接するように、上記ネジの先端部が上記基台部の表面から上記基台部のネジ用の孔に挿通されて、上記基台部の裏面から突出しており、上記ネジの先端部が上記シャーシに固着されて、上記基台部が上記シャーシに取り付けられている。
【００６２】
請求項４に記載の発明によれば、ＬＥＤ表示装置の表面側(発光面側)からネジ締めを行うので、故障時等の内部検査時は表面側からネジを緩めるだけで、そのままＬＥＤ表示装置をシャーシから外すことができる。したがって、保守点検が容易で取り扱いが容易である。
【００６３】
また、ネジ部の防水の役割を果たすリング状の弾性体は、基台部の裏面に配置されているから、ネジの頭部の下にはワッシャのみを配置した構造にできる。従って、ネジ締め付けの際のワッシャとゴムパッキンとの接触による捩切れを防止できる。
さらに、ネジ部の防水を行うリング状弾性体、および基台部裏面とシャーシ取り付け面間の防水を行う環状の弾性体を設けている場合には、この弾性体もＬＥＤ発光面とは反対側の面にあるから、昼間において太陽光の照射を避けることができる。したがって、リング状弾性体および環状の弾性体の材質劣化を防ぐことができ、耐久性を向上させることができ、高い信頼性が得られる。
【００６４】
また、請求項２の発明は、突出部を囲むような環状の外周側弾性体を基台部の裏面に固定した構成によって、突出部は、外周側弾性体がシャーシの取付面によって過度に圧縮されることを防止するストッパーの役目を果たすから、外周側弾性体の過度の圧縮による損傷を防止でき、この外周側弾性体でもって、基台部とシャーシとの間から雨水が侵入することを確実に防止することができると同時に、この外周側弾性体を挟む基台部およびシャーシの変形を防止することができる。また、突出部を囲むような環状の外周側弾性体を、ＬＥＤ発光面とは反対側の面である基台部の裏面に固定した構成によって、この環状の外周側弾性体は、昼間において太陽光の照射を避けることができ、材質劣化を防ぐことができ、耐久性を向上させることができて、高い信頼性が得られる。
【図面の簡単な説明】
【図１】本発明のＬＥＤ表示装置の実施の形態の裏面側斜視図である。
【図２】図１の部分拡大図である。
【図３】上記実施の形態の取り付け構造を説明するための部分断面図である。
【図４】上記実施の形態がシャーシにマトリクス状に配列されて固定されている様子を示す斜視図である。
【図５】ＬＥＤ表示装置の参考例の裏面斜視図である。
【図６】図５の部分拡大図である。
【図７】上記参考例の取り付け構造を説明するための部分断面図である。
【図８】上記参考例の取り付け構造を説明するための側面図である。
【図９】上記参考例の取り付け構造を説明するための斜視図である。
【図１０】上記参考例の弾性体が基台部に埋め込まれている様子を示す断面図である。
【図１１】上記実施の形態の弾性体が突出部に嵌め込まれている様子を示す断面図である。
【図１２】従来のＬＥＤ表示装置の取り付け構造を示す斜視図である。
【図１３】従来のＬＥＤ表示装置の取り付け構造を示す側面図である。
【図１４】従来のＬＥＤ表示装置の取り付け構造を説明するための部分断面図である。
【図１５】従来のＬＥＤ表示装置の取り付け構造において基台部の端の部分が反り曲がった様子を示す断面図である。
【符号の説明】
１…シャーシ、１Ａ…前面、１Ｂ…貫通孔、２，３１…基台部、
２Ａ…表面、２Ｂ，３１Ｂ…裏面、２Ｃ…額縁部、３…ネジ、
４，３２…ドライブ基板、５,３５…ネジ用の孔、６…ストッパー、
７…ネジ部防水パッキン、８…ゴムパッキン、１０…ワッシャ、
１１…ナット、１５，４４…ＬＥＤ素子、３３…額縁部、３３Ａ…部分、
３６…リング状の弾性体、３７…ネジ、３７Ａ…ネジ部、４１…ナット。
【図１】
0003578536.tif 000002
【図２】
0003578536.tif 000003
【図３】
0003578536.tif 000004
【図４】
0003578536.tif 000005
【図５】
0003578536.tif 000006
【図６】
0003578536.tif 000007
【図７】
0003578536.tif 000008
【図８】
0003578536.tif 000009
【図９】
0003578536.tif 000010
【図１０】
0003578536.tif 000011
【図１１】
0003578536.tif 000012
【図１２】
0003578536.tif 000013
【図１３】
0003578536.tif 000014
【図１４】
0003578536.tif 000015
【図１５】
0003578536.tif 000016